(57)【特許請求の範囲】
【請求項１】
ドアホン子器に接続され、ドアホン子器に電源を供給し、ドアホン子器からの呼出しに応答して通話を行うとともに、内線呼出ボタンを操作して、他のインターホン副親機に対して内線呼出を行う構成としたインターホン親機において、
上記内線呼出ボタンが操作されたときに出力される呼出確認音を自動的に低下させる音量低下制御手段を設けた構成としており、
呼出を受けたときに呼出音を出力させる呼出音発生回路を備えており、
上記音量低下制御手段は、上記内線呼出ボタンが操作されたときに、上記呼出音発生回路から出力される呼出音の出力レベルを自動的に低下させるレベルダウン回路を備えた構成としているインターホン親機。
【請求項２】
ドアホン子器に接続され、ドアホン子器に電源を供給し、ドアホン子器からの呼出しに応答して通話を行うとともに、内線呼出ボタンを操作して、他のインターホン副親機に対して内線呼出を行う構成としたインターホン親機において、
上記内線呼出ボタンが操作されたときに出力される呼出確認音を自動的に低下させる音量低下制御手段を設けた構成としており、
上記呼出音発生回路とは異なる呼出確認音を出力するための呼出確認音発生回路を設けており、
上記音量低下制御手段は、上記内線呼出ボタンが操作されたときには、上記呼出確認音発生回路から予め低い出力レベルに設定された呼出確認音を出力させる構成としているインターホン親機。
【請求項３】
請求項１において、
上記音量低下制御手段は、内線呼出ボタンの操作によって出力抵抗を切替操作することによって、上記呼出音発生回路から出力される呼出音の出力レベルを自動的に低下させ、呼出確認音として出力させることを特徴とするインターホン親機。
【請求項４】
インターホン親機あるいは他のインターホン副親機に接続され、これらのインターホン親機や副親機、ドアホン子器からの呼出しに応答して通話を行うとともに、内線呼出ボタンを操作して、インターホン親機や他のインターホン副親機に対して内線呼出を行う構成としたインターホン副親機において、
上記内線呼出ボタンが操作されたときに出力される呼出確認音を自動的に低下させる音量低下制御手段を設けた構成としており、
呼出を受けたときに呼出音を出力させる呼出音発生回路を備えており、
上記音量低下制御手段は、上記内線呼出ボタンが操作されたときに、上記呼出音発生回路から出力される呼出音の出力レベルを自動的に低下させるレベルダウン回路を備えた構成としているインターホン副親機。
【請求項５】
インターホン親機あるいは他のインターホン副親機に接続され、これらのインターホン親機や副親機、ドアホン子器からの呼出しに応答して通話を行うとともに、内線呼出ボタンを操作して、インターホン親機や他のインターホン副親機に対して内線呼出を行う構成としたインターホン副親機において、
上記内線呼出ボタンが操作されたときに出力される呼出確認音を自動的に低下させる音量低下制御手段を設けた構成としており、
上記呼出音発生回路とは異なる呼出確認音を出力するための呼出確認音発生回路を設けており、
上記音量低下制御手段は、上記内線呼出ボタンが操作されたときには、上記呼出確認音発生回路から予め低い出力レベルに設定された呼出確認音を出力させる構成としているインターホン副親機。
【請求項６】
請求項４において、
上記音量低下制御手段は、内線呼出ボタンの操作によって出力抵抗を切替操作することによって、上記呼出音発生回路から出力される呼出音の出力レベルを自動的に低下させ、呼出確認音として出力させることを特徴とするインターホン副親機。
【請求項７】
請求項１〜３のいずれかに記載のインターホン親機は、通話ボタンを備えたハンズフリー型インターホンであることを特徴とするインターホン親機。
【請求項８】
請求項４〜６のいずれかに記載のインターホン副親機は、通話ボタンを備えたハンズフリー型インターホンであることを特徴とするインターホン副親機。
【請求項９】
請求項１〜３のいずれかに記載のインターホン親機は、通話のためのハンドセットを備えたハンドセット型インターホンであることを特徴とするインターホン親機。
【請求項１０】
請求項４〜６のいずれかに記載のインターホン副親機は、通話のためのハンドセットを備えたハンドセット型インターホンであることを特徴とするインターホン副親機。
【請求項１１】
請求項１〜３、７、９のいずれかに記載のインターホン親機は、モニタテレビ付きインターホンであることを特徴とするインターホン親機。
【請求項１２】
請求項４〜６、８、１０のいずれかに記載のインターホン副親機は、モニタテレビ付きインターホンであることを特徴とするインターホン副親機。
【発明の詳細な説明】
【０００１】
【発明の属する技術分野】
【０００２】
本発明は、内線通話機能を備えた、インターホン親機およびインターホン副親機に関し、特に、内線呼出を行った際に出力される呼出確認音の出力レベルを自動的に低下させることのできる、インターホン親機およびインターホン副親機に関する。
【従来の技術】
【０００３】
近時、２世帯住宅などにおいて、テレビインターホンシステムなどのインターホンシステムが普及してきており、このようなインターホンシステムは、例えば図５に示すような構成になっている。
【０００４】
図５には、２世帯住宅におけるテレビインターホンシステムが示されており、ここでは、各世帯の玄関口にカメラ付きドアホン子器を１台ずつ（Ｂ１，Ｂ２）備えて、各世帯に設置されたインターホン親機Ａ、あるいはインターホン副親機Ａ１〜Ａ５とのインターホン通話を可能としており、また、各親機Ａ，副親機Ａ１〜Ａ５間では、内線通話（異世帯間、同世帯間）もできるようになっている。
【０００５】
親世帯に設置されたインターホン親機Ａには、２台のドアホン子器Ｂ１，Ｂ２を信号線Ｌ１，Ｌ１を介してパラレル接続するとともに、インターホン副親機Ａ１，Ａ３を信号線Ｌ２を介してパラレル接続している。
【０００６】
インターホン副親機Ａ１には、信号線Ｌ２を介してインターホン副親機Ａ２を接続し、インターホン副親機Ａ３には、信号線Ｌ２を介して、インターホン副親機Ａ４，Ａ５をシリアル接続している。
【０００７】
このような構成において、インターホン親機Ａ，副親機Ａ１〜Ａ５では、ドアホン子器Ｂ１，Ｂ２からの呼出があれば、スピーカｓｐから呼出音を出力するようにしている。
【０００８】
また、インターホン親機Ａ，副親機Ａ１〜Ａ５の各々には、内線呼Ａボタンｂ１，内線呼Ｂボタンｂ２を備えており、いずれかの親機Ａ，副親機Ａ１〜Ａ５で、内線呼Ａボタンｂ１あるいは内線呼Ｂボタンｂ２が操作されて内線呼出を行えば、その親機Ａ，副親機Ａ１〜Ａ５のスピーカｓｐより呼出確認音が出力されるとともに、呼び出された親機Ａ，副親機Ａ１〜Ａ５のスピーカｓｐより呼出音が出力される。そして、呼び出された親機Ａ，副親機Ａ１〜Ａ５側で通話ボタンｂの応答操作があれば、ハンズフリーで内線通話ができるようにしている。
【０００９】
更に、親機Ａ，副親機Ａ１〜Ａ５の各々には、音量設定スイッチｓｗ１を備えており、この音量設定スイッチｓｗ１を操作することで、ドアホン子器Ｂ１，Ｂ２から呼出を受けたときや、他の親機Ａ，副親機Ａ１〜Ａ５から内線呼出を受けたときに、スピーカｓｐから出力される呼出音の出力レベルを設定できるようにしている。
【発明が解決しようとする課題】
【００１０】
しかしながら、従来の、インターホン親機およびインターホン副親機では、ユーザーが、音量設定スイッチを操作して、ドアホン子器からの呼出や、他の親機，副親機からの内線呼出に対して出力される呼出音の出力レベルを調節すれば、自機で他の親機，副親機に対して内線呼出を行ったときに出力される呼出確認音の出力レベルも同時に設定されてしまう。
【００１１】
例えば、図５に示すように、親機Ａ，副親機Ａ１〜Ａ５の音量設定スイッチｓｗ１の設定がなされている場合では、ユーザーが、親機Ａから副親機Ａ１〜Ａ５に対して内線呼出をかけたときに、親機Ａから出力される呼出確認音の出力レベルが大きくなってしまい、親機Ａを操作したユーザーにとっては、必要以上に大きい呼出確認音が出力されるため、騒々しい感がある。
【００１２】
本発明は、上記事情に鑑みて提案されるものであり、内線呼出を行った際に出力される呼出確認音の出力レベルを、呼出音の音量設定に関係なく、自動的に低下させることのできる、インターホン親機およびインターホン副親機を提供することを目的としている。
【課題を解決するための手段】
【００１３】
上記目的を達成するために、請求項１に記載のインターホン親機では、内線呼出ボタンが操作されたときに出力される呼出確認音を自動的に低下させる音量低下制御手段を設けた構成としており、呼出を受けたときに呼出音を出力させる呼出音発生回路を備えており、音量低下制御手段は、内線呼出ボタンが操作されたときに、呼出音発生回路から出力される呼出音の出力レベルを自動的に低下させるレベルダウン回路を備えた構成としている。
【００１４】
ここに、インターホン親機に設けられた内線呼出ボタンは、１個のみに限られず、内線呼出を行うグループ別に複数個設けられたものであってもよい。
【００１５】
請求項２に記載のインターホン親機では、内線呼出ボタンが操作されたときに出力される呼出確認音を自動的に低下させる音量低下制御手段を設けた構成としており、呼出音発生回路とは異なる呼出確認音を出力するための呼出確認音発生回路を設けており、音量低下制御手段は、内線呼出ボタンが操作されたときには、呼出確認音発生回路から予め低い出力レベルに設定された呼出確認音を出力させる構成としている。
【００１６】
ここに、呼出確認音発生回路は、呼出音発生回路とは別途に設けられており、内線呼出ボタンの操作があれば、信号処理部が、呼出確認音発生回路から呼出確認音を出力させる。
【００１７】
請求項３に記載のインターホン親機では、音量低下制御手段は、内線呼出ボタンの操作によって出力抵抗を切替操作することによって、呼出音発生回路から出力される呼出音の出力レベルを自動的に低下させ、呼出確認音として出力させることを特徴とする。
【００１８】
ここに、音量低下制御手段は、信号処理部と、スイッチ回路と、１または複数の分圧抵抗とで構成されており、内線呼出ボタンの操作があれば、信号処理部がスイッチ回路をオンさせることで、呼出音発生回路から出力される呼出確認音の出力抵抗を切り換える。
【００１９】
請求項４に記載のインターホン副親機では、内線呼出ボタンが操作されたときに出力される呼出確認音を自動的に低下させる音量低下制御手段を設けた構成としており、呼出を受けたときに呼出音を出力させる呼出音発生回路を備えており、音量低下制御手段は、内線呼出ボタンが操作されたときに、呼出音発生回路から出力される呼出音の出力レベルを自動的に低下させるレベルダウン回路を備えた構成としている。
【００２０】
ここに、インターホン副親機に設けられた内線呼出ボタンは、１個のみに限られず、内線呼出を行うグループ別に複数個設けられたものであってもよい。
【００２１】
請求項５に記載のインターホン副親機では、内線呼出ボタンが操作されたときに出力される呼出確認音を自動的に低下させる音量低下制御手段を設けた構成としており、呼出音発生回路とは異なる呼出確認音を出力するための呼出確認音発生回路を設けており、音量低下制御手段は、内線呼出ボタンが操作されたときには、呼出確認音発生回路から予め低い出力レベルに設定された呼出確認音を出力させる構成としている。
【００２２】
ここに、呼出確認音発生回路は、呼出音発生回路とは別途に設けられており、内線呼出ボタンの操作があれば、信号処理部が、呼出確認音発生回路から呼出確認音を出力させる。
【００２３】
請求項６に記載のインターホン副親機では、音量低下制御手段は、内線呼出ボタンの操作によって出力抵抗を切替操作することによって、呼出音発生回路から出力される呼出音の出力レベルを自動的に低下させ、呼出確認音として出力させることを特徴とする。
【００２４】
請求項７に記載のインターホン親機では、請求項１〜３のいずれかに記載のインターホン親機は、通話ボタンを備えたハンズフリー型インターホンであることを特徴とする。
【００２５】
請求項８に記載のインターホン副親機では、請求項４〜６のいずれかに記載のインターホン副親機は、通話ボタンを備えたハンズフリー型インターホンであることを特徴とする。
【００２６】
請求項９に記載のインターホン親機では、請求項１〜３のいずれかに記載のインターホン親機は、通話のためのハンドセットを備えたハンドセット型インターホンであることを特徴とする。
【００２７】
請求項１０に記載のインターホン副親機では、請求項４〜６のいずれかに記載のインターホン副親機は、通話のためのハンドセットを備えたハンドセット型インターホンであることを特徴とする。
【００２８】
請求項１１に記載のインターホン親機では、請求項１〜３、７、９のいずれかに記載のインターホン親機は、モニタテレビ付きインターホンであることを特徴とする。
【００２９】
請求項１２に記載のインターホン副親機では、請求項４〜６、８、１０のいずれかに記載のインターホン副親機は、モニタテレビ付きインターホンであることを特徴とする。
【発明の実施の形態】
【００３０】
以下に、本発明の実施の形態について、図面を用いて説明する。
【００３１】
図１は、本発明のインターホン親機および副親機を使用して構成したインターホンシステムの一例を示す図である。
【００３２】
ここには、２世帯住宅におけるインターホンシステムが示されており、親世帯に設置されたインターホン親機Ａには、２台のドアホン子器Ｂ１，Ｂ２を信号線Ｌ１，Ｌ１を介してパラレル接続するとともに、インターホン副親機Ａ１，Ａ３を信号線Ｌ２を介してパラレル接続している。
【００３３】
インターホン副親機Ａ１には、信号線Ｌ２を介してインターホン副親機Ａ２を接続し、インターホン副親機Ａ３には、信号線Ｌ２を介して、インターホン副親機Ａ４，Ａ５をシリアル接続している。
【００３４】
なお、ここでは、インターホン親機Ａ，副親機Ａ１〜Ａ５として、モニタテレビ付きインターホンあるいはハンズフリー型インターホンを用いているが、これには限定されず、ハンドセットを備えたハンドセット型インターホンを用いてもよい。
【００３５】
このような構成において、インターホン親機Ａ，副親機Ａ１〜Ａ５では、ドアホン子器Ｂ１，Ｂ２からの呼出があれば、スピーカｓｐから呼出音を出力するようにしており、親機Ａ，副親機Ａ１〜Ａ５の通話ボタンｂの応答操作があれば、子器Ｂ１，Ｂ２と通話できるようにしている。
【００３６】
このとき、親機Ａ，副親機Ａ１，副親機Ａ３，Ａ４では、子器Ｂ１，Ｂ２からの呼出があれば、スピーカｓｐからの呼出音とともに、子器Ｂ１，Ｂ２のカメラｃが撮影した映像をモニタテレビｔｖに映し出す。
【００３７】
また、インターホン親機Ａ，副親機Ａ１〜Ａ５の各々には、内線呼出ボタンとして、内線呼Ａボタンｂ１，内線呼Ｂボタンｂ２を備えており、いずれかの親機Ａ，副親機Ａ１〜Ａ５で、内線呼Ａボタンｂ１あるいは内線呼Ｂボタンｂ２が操作されて内線呼出が行われると、その親機Ａ，副親機Ａ１〜Ａ５のスピーカｓｐより呼出確認音が出力されるとともに、呼び出された親機Ａ，副親機Ａ１〜Ａ５のスピーカｓｐより呼出音が出力される。そして、呼び出された親機Ａ，副親機Ａ１〜Ａ５側で通話ボタンｂの応答操作があれば、内線通話ができるようにしている。
【００３８】
更に、親機Ａ，副親機Ａ１〜Ａ５の各々には、音量設定スイッチｓｗ１を備えており、この音量設定スイッチｓｗ１を操作することで、ドアホン子器Ｂ１，Ｂ２から呼出を受けたときや、他の親機Ａ，副親機Ａ１〜Ａ５から内線呼出を受けたときに、スピーカｓｐから出力される呼出音の出力レベルを設定できるようにしている。
【００３９】
ここでは、親機Ａでは呼出音の出力レベルを大に、副親機Ａ１,Ａ２では呼出音の出力レベルを小に、副親機Ａ３〜Ａ５では呼出音の出力レベルを中に設定している。
【００４０】
このようなインターホンシステムにおいて、本発明では、親機Ａ，副親機Ａ１〜Ａ５から、他の親機Ａ，副親機Ａ１〜Ａ５に対して内線呼出を行ったときに出力される呼出確認音の出力レベルを、音量設定スイッチｓｗ１の設定に関係なく、自動的に低下させることに特徴がある。
【００４１】
図２には、本発明の要部の一例を示すブロック図が示されている。
【００４２】
親機Ａ，副親機Ａ１〜Ａ５は、以下の各部を制御する信号処理部１，ドアホン子器Ｂ１，Ｂ２から呼出を受けたときや、他の親機Ａ，副親機Ａ１〜Ａ５から内線呼出を受けたときにスピーカｓｐから呼出音を出力するための呼出音発生回路２，スピーカｓｐから出力される呼出音の出力レベルを設定するための音量設定回路３，内線呼Ａボタンｂ１，内線呼Ｂボタンｂ２のいずれかが操作されて、他の親機Ａ，副親機Ａ１〜Ａ５に対して内線呼出を行ったときに、呼出音発生回路２の出力を強制的に低下させ、スピーカｓｐからレベルの低下した呼出確認音を出力させるためのレベルダウン回路４を備える。
【００４３】
ここで、この親機Ａ，副親機Ａ１〜Ａ５において、信号処理部１，レベルダウン回路４は、音量低下制御手段Ｖを構成しており、信号処理部１が、内線呼Ａボタンｂ１，内線呼ボタンｂ２のいずれかの操作を検知すれば、レベルダウン回路４は音量設定回路３によって設定された呼出音の出力レベルを、強制的に低いレベルまで低下させる。
【００４４】
図例では、レベルダウン回路４は、呼出音発生回路２の出力側に、レベルダウン抵抗Ｒｆｆとスイッチｓｗ２を接続した構成となっており、内線呼Ａボタンｂ１，内線呼ボタンｂ２のいずれかの操作を検知すれば、信号処理部１はスイッチｓｗ２を閉じることによって、音量設定回路３の出力レベルを更に、レベルダウン抵抗Ｒｆｆによって、規定されたレベルまで低下させる構成になっている。
【００４５】
また、音量設定回路３は、音量設定スイッチｓｗ１，抵抗Ｒ１〜Ｒ３，抵抗Ｒｆで構成しており、音量設定スイッチｓｗ１を切り換え操作することで、抵抗Ｒ１，Ｒ２，Ｒ３と抵抗Ｒｆとの分圧比を変えることによって、呼出音発生回路２から出力される呼出音の出力レベルを設定している。
【００４６】
ここに、Ｒ１＞Ｒ２＞Ｒ３に設定され、スイッチｓｗ１を操作し、Ｒ１、Ｒ２、Ｒ３に切り換え操作することによって、呼出音を大、中、小に設定できるようになっているが、内線呼Ａボタンｂ１あるいは内線呼Ｂボタンｂ２のいずれかが操作されると、レベルダウン回路４が作動され、スイッチｓｗ２が閉じられ、レベルダウン抵抗Ｒｆｆが音量設定回路３に付加されるために、呼出音発生回路２の出力レベルが更に低下して、スピーカｓｐから呼出確認音として出力されるレベルも低下する。
【００４７】
レベルダウン回路４は、内線呼出が終了すれば、スイッチｓｗ２を開くので、音量設定回路３は、音量設定スイッチｓｗ１によって設定されたレベルに自動的に復帰する。
【００４８】
次に、親機Ａ，副親機Ａ１〜Ａ５において、他の副親機Ａ１〜Ａ５、親機Ａに対して内線呼出を行ったときの基本動作を、図３のステップ１００〜１０５に示すフローチャートを用いて説明する。
【００４９】
信号処理部１が、内線呼Ａボタンｂ１，内線呼Ｂボタンｂ２のいずれかの操作を検知すれば、指定された他の親機Ａ，副親機Ａ１〜Ａ５、あるいは他のすべての親機Ａ，副親機Ａ１〜Ａ５に対して内線呼出信号を出力し、レベルダウン回路４を作動する。
【００５０】
すると、レベルダウン回路４は、スイッチｓｗ２を閉じて、音量設定回路３からの出力レベルを低下させる。
【００５１】
この結果、呼出音発生回路２から出力される呼出音は、抵抗ＲｆとＲ１〜Ｒ３とで定まる分圧比を、更にレベルダウン抵抗Ｒｆｆによって分圧したレベルまで減衰されるので、スピーカｓｐからは小さいレベルに低下した呼出音が、呼出確認音として出力される（ステップ１００〜１０３）。
【００５２】
このようにして出力される呼出音は、内線呼Ａボタンｂ１，内線呼Ｂボタンｂ２の操作を解除するか、あるいは、その操作後、一定時間経過すれば、停止するので、このとき、信号処理部１はレベルダウン回路４の作動を停止して、スイッチｓｗ２を開いて、音量設定回路３によって設定されていた出力レベルに復帰させる（ステップ１０４〜１０５）。
【００５３】
このように、本発明によれば、信号処理部１が、内線呼Ａボタンｂ１，内線呼Ｂボタンｂ２の操作を検知すれば、自動的に、レベルダウン回路４を作動させて、出力レベルの低い呼出確認音を出力させるので、他の親機Ａ，副親機Ａ１〜Ａ５に対して内線呼出を行ったときにも耳の近くで必要以上に大きい音を出すようなことがなくなる。
【００５４】
また、このような構成によれば、スイッチｓｗ２を切換制御するためには、オン／オフ信号を出力すればよいので、信号処理部１のいずれのポートにも接続することができ、設計や回路変更の必要もほとんどなく実施できる。
【００５５】
図４には、本発明の要旨の他例を示すブロック図が示されている。
【００５６】
なお、ここでは、図１に示すインターホン親機Ａ，副親機Ａ１〜Ａ５と同一要素については、参照符号を付して説明を省略している。
【００５７】
図４に示した内部回路の特徴は、音量低下制御手段Ｖは、呼出音発生回路２（図２）とは異なる、別の音発生手段となる呼出確認音発生回路４Ａを備えた構成になっている。
【００５８】
内線呼Ａボタンｂ１，内線呼Ｂボタンｂ２のいずれかが操作されれば、信号処理部１はこれを検知し、呼出確認音発生回路４Ａを作動して、呼出確認音発生回路４Ａより出力された音をスピーカｓｐから呼出確認音として出力する。
【００５９】
このような構成によれば、呼出音発生回路２以外に個別の呼出確認音発生回路４Ａが必要になるが、呼出音とは異なる音色を呼出確認音として出力することができる。
【発明の効果】
【００６０】
以上の説明から理解できるように、請求項１に記載のインターホン親機によれば、内線呼出ボタンが操作されたときに出力する呼出確認音の出力レベルを、自動的に低下させる音量低下制御手段を設けているので、ユーザーが、内線呼出ボタンを操作して内線呼出を行ったときに、呼出確認音の出力レベルを自動的に低下させる。したがって、ユーザーに対して、不快感を感じさせないようにすることができるとともに、品位を向上させることができる。
【００６１】
また、音量低下制御手段は、内線呼出ボタンが操作されたときには、呼出音発生回路が出力する呼出確認音の出力レベルを自動的に低下させるレベルダウン回路を備えているので、内線呼出を行ったユーザーに対して、騒々しい思いをさせないようにすることができる。
【００６２】
請求項２に記載のインターホン親機によれば、インターホン親機には、更に呼出確認音発生回路を設けており、音量低下制御手段は、信号処理部と呼出確認音発生回路とで構成され、内線呼出ボタンが操作されたときには、信号処理部は、呼出確認音発生回路より、低い出力レベルの呼出確認音を出力させるので、内線呼出を行ったユーザーに対して、騒々しい思いをさせないようにすることができる。
【００６３】
また、信号処理部は、内線呼出ボタンの操作を検知したときに、必要に応じた制御信号を呼出確認音発生回路に出力すればよいので、信号処理部における信号処理の負担を軽減できる。
【００６４】
請求項３に記載のインターホン親機では、音量低下制御手段は、内線呼出ボタンの操作によって、呼出音発生回路から出力される呼出確認音の出力レベルを自動的に低下させ、呼出確認音として出力させるので、音量低下制御手段を構成する部品点数が軽減でき、低コスト化を図ることができる。
【００６５】
請求項４に記載のインターホン副親機によれば、内線呼出ボタンが操作されたときに出力する呼出確認音の出力レベルを、自動的に低下させる音量低下制御手段を設けているので、ユーザーが、内線呼出ボタンを操作して内線呼出を行ったときに、呼出確認音の出力レベルを自動的に低下させる。したがって、ユーザーに対して、不快感を感じさせないようにすることができるとともに、品位を向上させることができる。
【００６６】
また、音量低下制御手段は、内線呼出ボタンが操作されたときには、呼出音発生回路が出力する呼出確認音の出力レベルを自動的に低下させるレベルダウン回路を備えているので、内線呼出を行ったユーザーに対して、騒々しい思いをさせないようにすることができる。
【００６７】
請求項５に記載のインターホン副親機によれば、インターホン副親機には、更に呼出確認音発生回路を設けており、音量低下制御手段は、信号処理部と呼出確認音発生回路とで構成され、内線呼出ボタンが操作されたときには、信号処理部は、呼出確認音発生回路より、低い出力レベルの呼出確認音を出力させるので、内線呼出を行ったユーザーに対して、騒々しい思いをさせないようにすることができる。
【００６８】
また、信号処理部は、内線呼出ボタンの操作を検知したときに、必要に応じた制御信号を呼出確認音発生回路に出力すればよいので、信号処理部における信号処理の負担を軽減できる。
【００６９】
請求項６に記載のインターホン副親機では、音量低下制御手段は、内線呼出ボタンの操作によって、呼出音発生回路から出力される呼出確認音の出力レベルを自動的に低下させ、呼出確認音として出力させるので、音量低下制御手段を構成する部品点数が軽減でき、低コスト化を図ることができる。
【００７０】
請求項７に記載のインターホン親機では、請求項１〜３のいずれかに記載のインターホン親機は、通話ボタンを備えたハンズフリー型インターホンであるので、本発明の効果を発揮するハンズフリー型インターホン親機を提供することができる。
【００７１】
請求項８に記載のインターホン副親機では、請求項４〜６のいずれかに記載のインターホン副親機は、通話ボタンを備えたハンズフリー型インターホンであるので、本発明の効果を発揮するハンズフリー型インターホン副親機を提供することができる。
【００７２】
請求項９に記載のインターホン親機では、請求項１〜３のいずれかに記載のインターホン親機は、通話のためのハンドセットを備えたハンドセット型インターホンであるので、本発明の効果を発揮するハンドセット型インターホン親機を提供することができる。
【００７３】
請求項１０に記載にインターホン副親機では、請求項４〜６のいずれかに記載のインターホン副親機は、通話のためのハンドセットを備えたハンドセット型インターホンであるので、本発明の効果を発揮するハンドセット型インターホン副親機を提供することができる。
【００７４】
請求項１１に記載にインターホン親機では、請求項１〜３、７、９のいずれかに記載のインターホン親機は、モニタテレビ付きインターホンであるので、本発明の効果を発揮するモニタテレビ付きインターホンを提供することができる。
【００７５】
請求項１２に記載にインターホン副親機では、請求項４〜６、８、１０のいずれかに記載のインターホン副親機は、モニタテレビ付きインターホンであるので、本発明の効果を発揮するモニタテレビ付きインターホン副親機を提供することができる。
【図面の簡単な説明】
【図１】本発明のインターホン親機，副親機を使用して構成したテレビインターホンシステムの一例を示すシステム構成図である。
【図２】本発明の要旨をなす内部構成の一例を示すブロック図である。
【図３】本発明のインターホン親機，副親機の基本動作を示したフローチャートである（図２の実施例に対応）。
【図４】本発明の要旨をなす内部構成の他例を示すブロック図である。
【図５】従来のインターホン親機，副親機について説明するための図である。
【符号の説明】
Ａ    インターホン親機
Ａ１〜Ａ５    インターホン副親機
Ｂ１，Ｂ２    ドアホン子器
Ｖ    音量低下制御手段
１    信号処理部
２    呼出音発生回路
４    レベルダウン回路
４Ａ  呼出確認音発生回路
ｂ    通話ボタン
ｂ１  内線呼Ａボタン
ｂ２  内線呼Ｂボタン
ｃ    カメラ
ｔｖ  モニタテレビ
ｓｗ１  音量設定スイッチ
ｓｗ２  スイッチ
Ｒ１，Ｒ２，Ｒ３，Ｒｆ  抵抗
Ｒｆｆ  レベルダウン抵抗
【図１】
0003603590.tif 000002
【図２】
0003603590.tif 000003
【図３】
0003603590.tif 000004
【図４】
0003603590.tif 000005
【図５】
0003603590.tif 000006